【事件の表示】
　特願２００２−２３９１５１「ネットワークを利用したプリント注文システム」拒絶査定不服審判事件〔平成１６年　３月１１日出願公開、特開２００４−　７８６５４〕について、次のとおり審決する。
【結　論】
　本件審判の請求は、成り立たない。
【理　由】
１．手続きの経緯・本願発明
　本願は、平成１４年８月２０日の出願であって、平成１８年９月２９日付けで拒絶査定がなされたところ、これに対して同年１０月３０日に拒絶査定に対する審判請求がなされるとともに、手続補正書が提出されたものであって、その請求項１に係る発明（以下、「本願発明」という。）は、平成１８年１０月３０日に提出された手続補正書により補正された明細書及び図面の記載からみて、その特許請求の範囲の請求項１に記載された事項により特定される次のとおりのものと認める。
　
「顧客の操作する第１コンピュータと、写真店側の操作する第２コンピュータを有する写真処理システムとをネットワークにより接続可能にし、ネットワーク経由で写真プリント作成の注文を受けるプリント注文システムを構築するために、ネットワーク上に存在する写真注文受付システムであって、
　前記写真処理システムは、
顧客から写真プリント作成の注文を受けた場合に、写真プリントを作成すべき画像データを取得する画像取得手段と、
前記画像データの個々に対して固有の画像ＩＤを付与するＩＤ付与手段と、
前記画像データと前記画像ＩＤとを対応付けて登録する画像データベースとを備え、
後日、顧客から写真プリント作成の注文を受ける場合に、顧客からネットワーク経由で前記画像ＩＤを取得するＩＤ取得手段と、
この画像ＩＤをキーとして前記画像データベースを検索するデータベース検索手段を備え、
当該画像ＩＤが付与されている画像データが存在した場合には、その画像データに基づいて写真プリントの作成を行うように構成し、
　写真注文受付システムは、
前記写真処理システムの画像取得手段により取得された画像データと、写真処理システムのＩＤ付与手段により付与された固有の画像ＩＤとを受信するデータ受信手段と、
受信された前記画像データと前記画像ＩＤとを保存する画像保存手段と、
前記画像保存手段に登録されている画像データを、ネットワーク経由でアクセスしてきた顧客に対してアルバム形式で提供するアルバム提供手段と、
前記アルバム提供手段を利用して、写真プリント作成の注文を行う画像が顧客に指定されることにより、前記画像ＩＤを含む注文データを生成する注文データ生成手段とを備え、
　前記写真処理システムにおいて、前記注文データに含まれる画像ＩＤに対応する画像データが保存されていない場合に、当該画像データのダウンロード要求が自動的にされて、前記画像保存手段から、当該画像データを当該写真処理システムに送信するように構成した
ことを特徴とする写真注文受付システム。」
　
２．引用例
　原査定の拒絶の理由に引用された特開平１１−１５４２１８号公報（以下、「引用例」という。）には、図とともに、以下のような記載がある。
　
（イ）「【０００１】
【発明の属する技術分野】本発明は、写真に関するサービスをインターネットなどのネットワークを介して顧客に提供するネットワークフォトサービスシステムに関するものである。
【０００２】
【従来の技術】写真に関するサービスを顧客に提供するにあたり、大手集配ラボにスキャナ、プリンタ、大容量ディスクを有するサーバコンピュータ（以下、画像サーバという）などの各種設備を設置して、顧客が撮影した写真を画像サーバに蓄積し、顧客がその画像サーバにネットワークを介してアクセスできるようにすることによって、写真の焼き増し注文、電子メールへの写真画像添付、写真画像データのダウンロードなどの各種サービスを提供するネットワークフォトサービスが提案されている。
【０００３】ネットワークフォトサービスの利点は自宅あるいはオフィスにいながらにして写真の注文ができるという点に他ならないが、実際にはフィルムやプリントの受け渡しのようにネットワークでは行えないこともあるため、地域の写真店やミニラボなどを取次窓口としてサービスを提供するのが普通である。」（段落【０００１】〜【０００３】）
　
（ロ）「【０００８】
【課題を解決するための手段】本発明のネットワークフォトサービスシステムは、写真プリンタを有するラボに設置され、ネットワークを介して通信可能な少なくとも１つのラボサーバと、ネットワーク経由でプリントサービスの注文を受け付けるサービスセンタに設置され、各ラボの顧客が撮影した写真をデジタル画像データとして保管し、そのデジタル画像データをネットワーク上でアクセス可能とし、顧客からネットワークを介して転送された注文情報に応じて前記ラボの中の１つのラボをプリント出力先として選択し、その選択されたラボに設置されるラボサーバに対し指示情報を送信して注文により要求されたプリントサービスを顧客に提供するための処理を行うことを指示するセンタサーバとにより構成されることを特徴とするものである。
【０００９】ここで、「ラボサーバ」は、店頭ミニラボのような個別ラボに設置されるサーバコンピュータであり、「センタサーバ」は、画像データを集中管理するサービスセンタに設置されるサーバコンピュータのことであり、いずれも必要な画像データを保管するのに十分な容量を有するハードディスクなどのデータ記憶装置を備えるものである。ラボサーバはいわゆるプリンタサーバとしての役割を果たすものであり、写真プリンタに接続（複数の写真プリンタがあるときは切り替え可能に接続）されているものである。
【００１０】また「ネットワーク経由でプリントサービスの注文を受け付ける」とは、顧客から、注文内容を所定のデータ形式の注文情報として転送してもらうことを意味する。具体的には、例えばインターネットのホームページで注文情報のフォーマットを公開し、顧客にそのフォーマットにしたがって作成した注文情報を電子メールでセンタサーバ宛に送信してもらう。あるいは所定の画面で顧客が注文内容を入力するとその内容が自動的に注文情報のフォーマットに変換されてセンタサーバに送信されるようにしてもよい。
【００１１】また「ラボにおいて取得された写真画像」とは、ラボの顧客が同時プリントを依頼するためにそのラボに持ち込んだフィルムをフィルムスキャナによりスキャニングして取得した写真画像を意味する。あるいは、同じく顧客が持ち込んだデジタルカメラのメモリなどからカードリーダなどの各種データ読取転送手段を用いて取得した写真画像も含まれる。これらの写真画像は、以後デジタル画像データとして取り扱われる。
【００１３】なお、ここで「ネットワーク」とはインターネットを中心とするネットワーク網を意味し、専用回線、ＣＡＴＶ網、ダイアルアップ接続、ＬＡＮなど、注文情報や画像データの転送を行うのに十分な通信速度を有するあらゆる通信手段を含むものとする。
【００１４】また、センタサーバが「各ラボの顧客が撮影した写真をデジタル画像データとして保管し、該デジタル画像データをネットワーク上でアクセス可能とする」のは、デジタル画像データを一元管理するとともに、顧客がそのデジタル画像データを参照できるようにするためである。写真の焼き増しでは、撮影した全ての写真を見比べて、焼き増しする写真を選択するといったことがよく行われるが、上記センタサーバの画像アクセス機能は、これを表示画面上で行うための機能である。
【００１５】また「注文情報に応じて前記ラボの中の１つのラボをプリント出力先として選択する」とは、例えば注文により要求されたプリントサービスが、写真入りポストカードやカレンダーの作成など、それを行うために特殊な設備を必要とするようなサービスである場合に、プリント出力先としてその特殊な設備を有するラボを選択することなどを意味する。あるいは、注文の際にプリントを受け取るラボを顧客が指定できるようにして、注文情報の中に指定ラボを示す情報を含め、その指定されたラボをプリント出力先として選択するようにしてもよい。なお、前記「選択」には、ラボが１つしかない場合にそのラボをプリント出力先として選択する場合も含むものとする。
【００１６】また「プリントサービスを顧客に提供するための処理」とは、プリントサービスを顧客に提供するために必要となるあらゆる処理を意味する。例えばあるラボがある写真の焼き増しプリントを指示された場合には、その写真のデジタル画像データを入手しなければ焼き増しプリントを作成することはできないので、他からデジタル画像データを転送してもらう必要がある。つまり、「プリントサービスを顧客に提供するための処理」とは単なるプリンタによるプリント出力のみならず、このようなデータ転送処理なども含めた一連の処理を意味する。
【００１７】なお「注文情報」とは、具体的にはサービス内容（焼き増し、ポストカード作成など）を指定する処理番号、写真を指定する画像番号、プリントのサイズ、枚数などである。また「指示情報」は注文情報の内容に加え、デジタル画像データの入手先（保管先）などを示す情報を含んだものである。この場合指示情報を受信したラボサーバは必要なデジタル画像データを自らが保管していない場合には、入手先として示されたラボの画像サーバ、あるいはセンタサーバに対してデジタル画像データの転送を要求する。あるいは必要となるデジタル画像データそのものを指示情報の一部に含めておいてもよい。
【００１８】なお、各ラボサーバは、そのラボサーバが設置されているラボの顧客が撮影した写真を高解像度画像データとして保管しておくことが望ましい。これにより自分の顧客から注文された焼き増しなどの際に、デジタル画像データを他から入手する必要がなくなる。
【００１９】また、このように各ラボサーバが自分の顧客のデジタル画像データを保管している場合には、センタサーバに保管され、アクセス可能とされたデジタル画像データは、前記ラボサーバに保管される高解像度画像データよりもデータ量が少ない低解像度画像データとしてもよい。すなわちラボサーバのデジタル画像データはプリント出力用、センタサーバのデジタル画像データはネットワーク経由のアクセス用というように、デジタル画像データを使い分けてもよい。
【００２０】なお、ラボサーバ側にプリント出力用の高解像度画像データが保管されている場合には、そのラボでプリント出力を行う方がデータ転送量も少なく効率がよいため、センタサーバは、アクセス用のデジタル画像データを保管する際に、そのデジタル画像データが高解像度画像データとして保管されているラボサーバを示す保管場所情報と対応づけて保管を行い、プリント出力先の選択の際には、その保管場所情報に基づいて、プリント注文されたデジタル画像データが高解像度画像データとして保管されているラボサーバが設置されているラボをプリント出力先として選択するようにすることが望ましい。」（段落【０００８】〜【００２０】）
　
（ハ）「【００４３】そこで、本発明のネットワークフォトサービスシステムでは、図１に示すように、顧客１と、注文を受け付けるサービスセンタ２と、ミニラボ３あるいは特殊設備を備える特殊ラボ４とが全てネットワークで通信できるようにしている。この際、サービスセンタや特殊ラボは特に多くの通信を行う必要があるため、高速回線を使用するようにして、より多くの注文を迅速に処理できるようにしている。
【００４４】図１の実施の形態では、デジタル画像データの入力はミニラボ３において行われる。顧客がミニラボ３に同時プリントを依頼すると、ミニラボ３では、スキャナ７によりフィルムを読み取り、プリンタ９により同時プリントを作成する。スキャナ７により読み取られたデジタル画像データは同時プリント作成後もラボサーバ８に保管される。またこの際、それらのデジタル画像データの解像度を落とした低解像度画像データ（以下、サムネイル画像という）が作成され、サービスセンタ２のセンタサーバ12に転送される。また、ラボサーバ８は、顧客のデジタル画像データのみならずテンプレートも保管している。
【００４５】サービスセンタ２のセンタサーバ12は、上記のようにして各ラボから転送されたサムネイル画像をそのサムネイル画像が送られてきたラボと対応づけて保管するとともに、そのサムネイル画像をネットワーク上でアクセス可能にする。この際サムネイル画像は、顧客が注文の際に写真を確認できればよいので、特に高い画質は必要とされない。またディスクスペースを節約するためにもサムネイル画像のデータ量は小さい方が望ましい。本実施の形態では、ラボサーバ８がプリント出力のために保管するデジタル画像データが、Ｌサイズプリントを300dpiで出力するのに必要な画素数である４ベース（画素数約1024×1792）なのに対し、センタサーバ12がネットワーク経由のアクセスのために保管するデジタル画像データを１／４ベース（画素数約368×256）としている。また、センタサーバ12は、上記ラボサーバ８が保管しているテンプレートのサムネイルも保管しており、顧客がネットワークを介してアクセスできるようにしている。
【００４６】デジタル画像データをアクセス可能にするにあたっては、顧客は自分の写真のみ確認できればよいため、言い換えれば他人に自分の写真を見られることは望まないため、パスワードによる認証を行って各顧客が見ることができるデータを制限している。パスワードは、同時プリントの申し込み時に顧客からの指定により、あるいはミニラボ側で適当なパスワードを割り当てることにより決定する。
【００４７】センタサーバへのアクセスは、インターネットの場合には上記サービスをホームページの形態で提供し、顧客がNetscape Navigatorなどのブラウザを利用してアクセスするようにする。あるいはその他の独自の通信サービスとして提供する場合には、顧客に専用ソフトウェアを配布するなどして行ってもよい。いずれの場合も、顧客１は自宅あるいはオフィスのパソコン６から、ネットワークを介してセンタサーバ12に保管されている自分の写真のサムネイル画像を確認したりテンプレートを選択したりして、注文画面に対して所定の入力を行うことにより、あるいは所定のフォーマットの注文情報を作成して電子メールでセンタサーバ12宛に送信することにより、ミニラボ３に出向かずにプリントサービスを要求することができる。
【００４８】ここで、顧客からセンタサーバ12に対して転送される注文情報は例えば図２のようなものであり、焼き増しなどに必要な情報、例えば画像番号、サイズ、枚数などの他、出来上がったプリントの受取方法などが含まれる。さらに、加工プリントの注文ではテンプレートの番号などもこの注文情報に含まれる。なお、ネットワークを介して提供できるサービスの内容は、プリント出力を伴うものばかりでなく、プリントサービスに関連するあらゆるものがある。例えば、ラボサーバ８におけるデジタル画像データの保管期限があと数日で切れてしまうが、まだ焼き増ししたい写真が決まっていないといった場合に、保管期限の延長を依頼するといったサービスも考えられる。」（段落【００４３】〜【００４８】）
　
（ニ）「【００５５】指示情報を受信したラボサーバ８は、指示情報に含まれる注文内容にしたがって焼き増しプリントの出力などの処理を行い、顧客への受け渡しや郵送手配などをする。ここで、顧客への受け渡しや郵送手配は、従来と同じく人間により行われなければならないが、ラボサーバ８によってそのような作業を補助する処理、具体的には、例えば指示情報の受取主を示すデータを参照して自動的に郵送ラベルを印刷したり、プリント出力が完了した際に受取主に対して自動的に電子メールを送信してプリントの出来上がりを知らせるなどの処理を行うことが可能である。」（段落【００５５】）
　
（ホ）「【００５９】この注文情報20はセンタサーバ12により受け付けられ、センタサーバ12はこの注文情報20に基づいて選択したラボに対し指示情報25を送信する。この際、指示情報25には、上記画像22aおよびテンプレート24aを示す情報と、加工の手順を示す情報も含まれる。このような情報が含まれた指示情報25を受信したラボサーバ８は、その情報に基づいて、テンプレート24aに対応する高解像度テンプレート23aと、画像22aに対応する高解像度画像データ21aとをハードディスク内から検索し、上記加工の手順にしたがって加工処理を行いプリントを出力する。」（段落【００５９】）
　
（ヘ）「【００７４】なお、以上説明した実施の形態はセンタサーバ12にネットワーク経由のアクセス用のサムネイル画像を、ラボサーバ８にプリント出力用の高解像度画像データをそれぞれ保管しているが、プリント出力用の高解像度画像データをセンタサーバ12に保管してアクセス用画像としても兼用し、ラボ側は高解像度画像データを保管は行わずにプリント出力のみを行うようにしてもよいことはいうまでもない。」（段落【００７４】）
　
　以上の記載によれば、この引用例には以下のような発明（以下、「引用例発明」という。）が開示されていると認められる。
　
「写真プリンタを有するラボに設置され、ネットワークを介して通信可能なラボサーバと、ネットワーク経由でプリントサービスの注文を受け付けるサービスセンタに設置され、ラボの顧客が撮影した写真をデジタル画像データとして保管し、そのデジタル画像データをネットワーク上でアクセス可能とし、顧客からネットワークを介して転送された注文情報に応じてラボをプリント出力先とし、そのラボに設置されるラボサーバに対し指示情報を送信して注文により要求されたプリントサービスを顧客に提供するための処理を行うことを指示するセンタサーバにより構成されるネットワークフォトシステムであって、
　前記ラボは、
顧客から同時プリントの依頼を受けた場合に、フィルムをスキャニングして写真プリントを作成すべきデジタル画像データを取得するフィルムスキャナと、前記デジタル画像データを保管するラボサーバと、保管された前記デジタル画像データに基づいてプリントの出力を行う写真プリンタを備え、
　前記サービスセンタは、
前記ラボのフィルムスキャナにより読み取られた顧客の撮影した写真のデジタル画像データから作成されて転送された低解像度のサムネイル画像を保管し、アクセスしてきた顧客にネットワークを介して保管されている顧客の写真のサムネイル画像を提供し、ネットワークを介して顧客からのプリントサービスの注文情報を受け付けるセンタサーバを備え、
顧客は、自宅あるいはオフィスのパソコンから、ネットワークを介してセンタサーバにアクセスして保管されている自分の写真のサムネイル画像を確認し、焼き増しプリントの注文を行う写真を選択し、注文画面に対して所定の入力を行うことにより、例えば、焼き増しなどに必要な情報、例えば画像番号、サイズ、枚数などの他、出来上がったプリントの受取方法などが含まれる注文情報を作成し、センタサーバは、転送された注文情報に基づいて指示情報をラボサーバに送信し、指示情報を受信したラボサーバは指示情報に含まれる注文内容にしたがって焼き増しプリントの出力を行うネットワークフォトシステム。」　
　
３．対　比
　本願発明と引用例発明とを対比する。
　引用例発明の「自宅あるいはオフィスのパソコン」は、本願発明の「顧客の操作する第１コンピュータ」に相当する。　　　　
　引用例発明の「ラボ」は、本願発明の「写真店」に相当し、引用例発明の「ラボに設置され、ネットワークを介して通信可能なラボサーバ」は「写真店側の操作する第２コンピュータ」に相当する。
　引用例発明の「フィルムスキャナ」、「ラボサーバ」及び「写真プリンタ」からなる構成は、「フィルムスキャナ」が顧客から同時プリントの依頼を受けた場合に、フィルムをスキャニングして写真プリントを作成すべきデジタル画像データを取得し、「ラボサーバ」がデジタル画像データを保管するから画像データベースを備えているといえ、「写真プリンタ」が指示情報に含まれる注文内容にしたがって焼き増しプリントの出力を行うから、本願発明の「写真処理システム」と、画像データを登録する画像データベースを備え、顧客から写真プリント作成の注文を受ける場合に、画像データが存在した場合には、その画像データに基づいて写真プリントの作成を行うように構成する点で対応しており、引用例発明と本願発明それぞれの写真処理システムは、顧客から写真プリント作成の注文を受けた場合に、写真プリントを作成すべき画像データを取得する画像取得手段と、前記画像データを保存する画像データベースとを備え、その画像データに基づいて写真プリントの作成を行うように構成している点で一致しているといえる。
　引用例発明の「ネットワークフォトシステム」は、本願発明の「ネットワーク経由で写真プリント作成の注文を受けるプリント注文システム」に相当し、引用例発明の「ネットワーク経由でプリントサービスの注文を受け付けるサービスセンタに設置され、ラボの顧客が撮影した写真をデジタル画像データとして保管し、そのデジタル画像データをネットワーク上でアクセス可能とし、顧客からネットワークを介して転送された注文情報に応じてラボをプリント出力先とし、そのラボに設置されるラボサーバに対し指示情報を送信して注文により要求されたプリントサービスを顧客に提供するための処理を行うことを指示するセンタサーバ」は、本願発明の「顧客の操作する第１コンピュータと、写真店側の操作する第２コンピュータを有する写真処理システムとをネットワークにより接続可能にし、ネットワーク経由で写真プリント作成の注文を受けるプリント注文システムを構築するために、ネットワーク上に存在する写真注文受付システム」に相当するといえる。
　引用例発明の「センタサーバ」は、前記ラボのスキャナにより読み取られた顧客の撮影した写真のデジタル画像データから作成されて転送された低解像度のサムネイル画像を保管し、アクセスしてきた顧客にネットワークを介して保管されている顧客の写真のサムネイル画像を提供し、ネットワークを介して顧客からのプリントサービスの注文情報を受け付け、注文情報に基づいて指示情報をラボサーバに送信するから、本願発明の「写真注文受付システム」と前記写真処理システムから画像データを受信するデータ受信手段と、受信された前記画像データを保存する画像保存手段と、前記画像保存手段に登録されている画像データを、ネットワーク経由でアクセスしてきた顧客に対して提供する提供手段と、前記提供手段を利用して、写真プリント作成の注文を行う画像が顧客に指定されることにより、注文データを生成する注文データ生成手段とを備えた点で一致するといえる。
　
　そうすると、両者は、
「顧客の操作する第１コンピュータと、写真店側の操作する第２コンピュータを有する写真処理システムとをネットワークにより接続可能にし、ネットワーク経由で写真プリント作成の注文を受けるプリント注文システムを構築するために、ネットワーク上に存在する写真注文受付システムであって、
　前記写真処理システムは、
顧客から写真プリント作成の注文を受けた場合に、写真プリントを作成すべき画像データを取得する画像取得手段と、
前記画像データを保存する画像データベースとを備え、その画像データに基づいて写真プリントの作成を行うように構成し、
　写真注文受付システムは、
前記写真処理システムから画像データを受信するデータ受信手段と、
受信された前記画像データを保存する画像保存手段と、
前記画像保存手段に登録されている画像データを、ネットワーク経由でアクセスしてきた顧客に対して提供する提供手段と、
前記提供手段を利用して、写真プリント作成の注文を行う画像が顧客に指定されることにより、注文データを生成する注文データ生成手段とを備えたことを特徴とする写真注文受付システム。」
で一致するものであり、次の（１）〜（３）の点で相違している。
　
（１）本願発明は、「画像データの個々に対して固有の画像ＩＤを付与するＩＤ付与手段と、前記画像データと前記画像ＩＤとを対応付けて登録する画像データベースとを備え、後日、顧客から写真プリント作成の注文を受ける場合に、顧客からネットワーク経由で前記画像ＩＤを取得するＩＤ取得手段と、この画像ＩＤをキーとして前記画像データベースを検索するデータベース検索手段を備え、当該画像ＩＤが付与されている画像データが存在した場合には、その画像データに基づいて写真プリントの作成を行う」のに対し、引用例発明は、画像データの個々に対して固有の画像ＩＤを付与し、前記画像データと前記画像ＩＤとを対応付けて画像データベースに登録しているか明らかではなく、顧客からネットワーク経由で前記画像ＩＤを取得して、この画像ＩＤをキーとして前記画像データベースを検索して当該画像ＩＤが付与されている画像データが存在した場合には、その画像データに基づいて写真プリントの作成を行うかも明らかではない点。
　
（２）本願発明では、写真注文受付システムは、写真処理システムの画像取得手段により取得された画像データを受信し、「画像保存手段」に受信された前記画像データを登録し、「前記画像保存手段に登録されている画像データを、ネットワーク経由でアクセスしてきた顧客に対してアルバム形式で提供する」のに対し、引用例発明は、デジタル画像データから作成された低解像度のサムネイル画像を受信して保管し、アクセスしてきた顧客にネットワークを介して保管されている顧客の写真のサムネイル画像を提供している点。
　
（３）本願発明は、写真処理システムにおいて、前記注文データに含まれる画像ＩＤに対応する画像データが保存されていない場合に、当該画像データのダウンロード要求が自動的にされて、前記画像保存手段から、当該画像データを当該写真処理システムに送信するように構成したのに対し、引用例発明は、そのようなことが明らかではない点。
　
４．当審の判断
　上記相違点について検討する。
・相違点（１）について　
　本願発明における写真処理システムの「後日、顧客から写真プリント作成の注文を受ける場合に、顧客からネットワーク経由で前記画像ＩＤを取得するＩＤ取得手段」は、写真プリント作成の注文を行う画像が顧客から指定されることにより、写真注文受付システムにより生成された画像ＩＤを含む注文データから、画像ＩＤを取得するものを含んでいると解される。
　引用例には、「なお「注文情報」とは、具体的にはサービス内容（焼き増し、ポストカード作成など）を指定する処理番号、写真を指定する画像番号、プリントのサイズ、枚数などである。また「指示情報」は注文情報の内容に加え、デジタル画像データの入手先（保管先）などを示す情報を含んだものである。」（段落【００１７】）、「顧客からセンタサーバ12に対して転送される注文情報は例えば図２のようなものであり、焼き増しなどに必要な情報、例えば画像番号、サイズ、枚数などの他、出来上がったプリントの受取方法などが含まれる。」（段落【００４８】）及び「指示情報25には、上記画像22aおよびテンプレート24aを示す情報と、加工の手順を示す情報も含まれる。このような情報が含まれた指示情報25を受信したラボサーバ８は、その情報に基づいて、テンプレート24aに対応する高解像度テンプレート23aと、画像22aに対応する高解像度画像データ21aとをハードディスク内から検索し、上記加工の手順にしたがって加工処理を行いプリントを出力する。」（段落【００５９】）と記載されており、注文情報に含まれる画像を示し、本願発明の「画像ＩＤ」に相当する画像番号等の情報を、ネットワーク経由で取得するとともに、この情報に基づいて、当該画像に対応する高解像度画像データをハードディスク内から検索し、プリントを出力することが示されているから、この点は実質的な相違点ではない。
　なお、複数のデジタル画像と識別情報とを対応付けてデータベースに記憶し、識別情報により所望のデジタル画像を検索してアクセスすることは、本願出願前周知の技術（例えば、特開２００２−９９５４３号公報段落【００１１】、【００８６】【００９３】〜【００９７】の記載、特開平１１−２０３３５９号公報段落【００４５】、【００４６】の記載参照。）でもある。
　　
・相違点（２）について
　本願発明は、「画像データを、ネットワーク経由でアクセスしてきた顧客に対してアルバム形式で提供する」ものであるが、画像データを提供する「アルバム形式」について何ら限定するものではない（本願明細書の発明な詳細な説明にも「アルバム提供手段４５は、画像保存手段４４に保存されている画像を電子アルバムの形式でパソコン画面に表示させる機能を有する。」（段落【００４２】）と記載されているのみである。）から、顧客の撮影した写真のデジタル画像を複数個整列させて表示して提供する形態も含むものである。
　そして、引用例発明は、顧客から同時プリントの依頼を受けた場合に、フィルムをスキャニングして取得したデジタル画像データからサムネイル画像を作成し、センタサーバがネットワーク経由でアクセスしてきた顧客に保管されている顧客の写真のサムネイル画像を提供しているから、サムネイル画像を提供する形式を単に顧客の撮影した写真のデジタル画像の一覧、すなわちアルバム形式とすることは、当業者が必要に応じてなし得る設計事項である。
　なお、複数の画像からなるアルバムとして提供された画像に対し、プリント注文を行うことは、本出願前周知の技術（例えば、前記特開平１１−２０３３５９号公報段落【００６９】の記載、特開２００２−９９５４３号公報段落【０１０４】〜【０１０６】の記載参照）でもある。
　また、引用例には、「なお、以上説明した実施の形態はセンタサーバ12にネットワーク経由のアクセス用のサムネイル画像を、ラボサーバ８にプリント出力用の高解像度画像データをそれぞれ保管しているが、プリント出力用の高解像度画像データをセンタサーバ12に保管してアクセス用画像としても兼用し、ラボ側は高解像度画像データを保管は行わずにプリント出力のみを行うようにしてもよいことはいうまでもない。」（段落【００７４】）と記載されているから、センタサーバに保管され、ネットワーク経由でアクセスしてきた顧客に提供する画像データをラボサーバに保管される高解像度画像データ（本願発明の「写真処理システムの画像取得手段により取得された画像データ」に相当する。）と同じ高解像度画像データとすることも示されている。
　したがって、引用例発明において、写真処理システムの画像取得手段により取得された画像データを受信し、「画像保存手段」に受信された前記画像データを登録し、「前記画像保存手段に登録されている画像データを、ネットワーク経由でアクセスしてきた顧客に対してアルバム形式で提供する」ようにすることは、当業者が容易になし得ることである。
　
・相違点（３）について
　引用例には、「指示情報を受信したラボサーバは必要なデジタル画像データを自らが保管していない場合には、入手先として示されたラボの画像サーバ、あるいはセンタサーバに対してデジタル画像データの転送を要求する。」（段落【００１７】）及び「プリント出力用の高解像度画像データをセンタサーバ12に保管してアクセス用画像としても兼用し、ラボ側は高解像度画像データを保管は行わずにプリント出力のみを行うようにしてもよいことはいうまでもない。」（段落【００７４】）と記載されている。
　したがって、引用例発明において、写真処理システムにおいて、前記注文データに含まれる画像ＩＤに対応する画像データが保存されていない場合に、当該画像データのダウンロード要求が自動的にされて、前記画像保存手段から、当該画像データを当該写真処理システムに送信するように構成したことは容易になし得ることである。
　
　そして、本願発明により奏される効果は当業者であれば引用例発明及び周知技術から予想できる範囲内のものである。
　
５．むすび
　以上のとおり、本願請求項１に係る発明は、引用例発明及び周知技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。